(57)【特許請求の範囲】
【請求項１】
小径ディスク（１３）および大径ディスク（１４）の通路に突出して小径ディスク（１３）および大径ディスク（１４）の周縁と当接する当接部（４ａ、５ａ）を有しシャーシに回動自在に支持された１対のレバー（４、５）と、前記一対のレバー（４、５）の夫々に一端が回動自在に支持され他端同士が軸（１２ａ）で回動自在に連結された一対の連結部材（６、６）と、シャーシ（２）に設けられ前記軸（１２ａ）をディスクローディング方向に案内するガイド溝（２ａ）と、で１個のリンク装置を形成し、前記リンク装置のレバー（４、５）の一方の回動位置を検出する第１のマイクロスイッチ（８）および前記軸（１２ａ）の位置を検出する第２のマイクロスイッチ（７）を設け、前記第１のマイクロスイッチ（８）の出力により、ローディングされるディスクのサイズを識別し、前記第２のマイクロスイッチ（７）の出力により小径ディスク（１３）および大径ディスク（１４）のローディング開始位置を検出し、前記第２のマイクロスイッチ（７）の出力により小径ディスク（１３）のイジェクト終了位置が検出され、前記第１のマイクロスイッチ（８）の出力により大径ディスク（１４）のイジェクト終了位置が検出される車載用ディスクプレーヤにおいて、前記軸（１２ａ）を案内するガイド溝（２ａ）の両側縁に凹み（２ｂ、２ｂ）を設け、前記１対のレバー（４、５）が小径ディスク（１３）または大径ディスク（１４）により片押しされた場合前記ガイド溝（２ａ）に案内される前記軸（１２ａ）が前記凹み（２ｂ、２ｂ）に入ることにより前記１対のレバー（４、５）の片押し状態が修正されるように構成した車載用ディスクプレーヤ。
【請求項２】
前記第１および第２のマイクロスイッチ（７、８）をディスク再生部を制御する回路が形成されたプリント基板（３）に設けた請求項１の車載用ディスクプレーヤ。
【発明の詳細な説明】
【０００１】
【発明の属する技術分野】
この発明は車載用ディスクプレーヤに係わり、特に、そのディスクのローディング開始位置、イジェクト終了位置およびローディングされたディスクサイズの検出手段に関する。
【０００２】
【従来の技術】
従来の車載用ディスクプレーヤのディスク位置検出手段の例を図１１に示す。図に示すプリント基板にはＬＥＤおよびフォトセンサが組みとなった反射式光センサＢ、Ｃ、ＤおよびＬＥＤおよびフォトセンサが組みとなった透過式光センサＡのＬＥＤが取付けられている。１２ｃｍＣＤのローディングスタート位置が１４Ａに示されている。この位置では透過式光センサＡおよび反射式光センサＢおよびＤがオンとなり、図示していない送りローラがディスクローディング方向に駆動され、１２ｃｍＣＤが１４Ｂで示す再生位置まで送られる。
【０００３】
８ｃｍＣＤのローディングスタート位置が１３Ａに示されている。この位置では透過式光センサＡがオンとなり、図示していない送りローラが駆動され、８ｃｍＣＤが１３Ｂで示す再生位置まで送られる。
【０００４】
１２ｃｍＣＤを再生位置からイジェクトする場合、送りローラがディスクイジェクト方向に駆動され、１４Ｃで示すイジェクトストップ位置まで送られる。イジェクトストップ位置は透過式光センサＡがオン状態からディスク中心穴通過時に一旦オフとなり、ディスク中心穴通過後オンとなることが検出され、さらに、反射式光センサＣがオフとなることにより検出される。
【０００５】
８ｃｍＣＤを再生位置からイジェクトする場合、送りローラがディスクイジェクト方向に駆動され、１３Ｃで示すイジェクトストップ位置まで送られる。イジェクトストップ位置は、反射式光センサＢまたはＤのいずれかがオフとなることにより検出される。すなわち、ディスクが偏っている場合、ディスク偏り方向と反対側の反射式光センサから先にディスクが離れその光センサがオフとなることでイジェクト位置が検出される。
【０００６】
【発明が解決しようとする課題】
上記した従来のディスク位置検出手段では、フォトセンサを使用しているが、フォトセンサは単価が高くまた使用個数も多いのでコスト高となるという問題があった。また、装置のバックライト等の光漏れがあったり、汚れによる光量低下があると誤動作をすることがあるという問題があった。このような誤動作を防ぐために、防塵構造や遮光構造が必要となる。さらに、動作制御用マイクロコンピュータのポート数が多くなり制御装置のコストや配線のコストが高くなるという問題があった。
【０００７】
この発明は上記した点に鑑みてなされたものであって、その目的とするところは、製造コストが安く、誤動作の恐れのないディスク位置検出手段を提供することにある。
【０００８】
【課題を解決するための手段】
この発明の車載用ディスクプレーヤは、小径ディスクおよび大径ディスクの通路に突出して小径ディスクおよび大径ディスクの周縁と当接する当接部を有しシャーシに回動自在に支持された１対のレバーと、前記一対のレバーの夫々に一端が回動自在に支持され他端同士が軸で回動自在に連結された一対の連結部材と、シャーシに設けられ前記軸をディスクローディング方向に案内するガイド溝と、で１個のリンク装置を形成し、前記リンク装置のレバーの一方の回動位置を検出する第１のマイクロスイッチおよび前記軸の位置を検出する第２のマイクロスイッチを設け、前記第１のマイクロスイッチの出力により、ローディングされるディスクのサイズを識別し、前記第２のマイクロスイッチの出力により小径ディスクおよび大径ディスクのローディング開始位置を検出し、前記第２のマイクロスイッチの出力により小径ディスクのイジェクト終了位置が検出され、前記第１のマイクロスイッチの出力により大径ディスクのイジェクト終了位置が検出される車載用ディスクプレーヤにおいて、前記軸を案内するガイド溝の両側縁に凹みを設け、前記１対のレバーが小径ディスクまたは大径ディスクにより片押しされた場合前記ガイド溝に案内される前記軸が前記凹みに入ることにより前記１対のレバーの片押し状態が修正されるように構成したものである。
【００１０】
また、前記車載用ディスクプレーヤにおいて、前記第１および第２のマイクロスイッチをディスク再生部を制御する回路が形成されたプリント基板に設けたものである。
【００１１】
上記構成において、検出手段としてのマイクロスイッチは２個でよく、従来のものに比べて少なくなる。また、装置部材の位置検出を行うので安価なマイクロスイッチを用いることが可能である。そして、これらの検出手段はディスクを挟むように対向配置する必要がないため、ディスク再生部を制御するプリント基板に設けることができ、配線のコストが削減される。
【００１２】
【発明の実施の形態】
この発明の実施例である車載用ディスクプレーヤを図面に基づいて説明する。図１はこの発明の実施例である車載用ディスクプレーヤを示す平面図であり、図２は同車載用ディスクプレーヤを示す正面図である。図に示す１は本体シャーシであり装置全体を支持する。再生部シャーシ２はダンパー１１、１１…を介して本体シャーシ１に浮動状態に支持されており、ディスクを再生するためのディスクモータやターンテーブルさらに光ピックアップを支持している。再生部シャーシ２はこの発明のディスク位置検出手段であるレバー４、５、連結部材６、６およびマイクロスイッチ作動部材１２を支持している。
【００１３】
送りローラ１０はディスクに圧接され、図示していない駆動機構により回転駆動されディスクをローディングおよびイジェクトする。送りローラ１０はディスク再生時にはディスクから離れた位置に退避される。
【００１４】
レバー４は再生部シャーシ２に回動自在に支持されており、ディスク移動路に延びる軸４ａが立設されている。レバー４には連結部材６の一端が回動自在に連結されている。レバー５は再生部シャーシ２に回動自在に支持されており、ディスク移動路に延びる軸５ａが立設されている。レバー５には連結部材６の一端が回動自在に連結されている。
【００１５】
図４および図５にも詳しく示すように、連結部材６、６の他端はマイクロスイッチ作動部材１２の軸１２ａにより互いに回動自在に連結されている。マイクロスイッチ作動部材１２の軸１２ａおよび軸１２ｂは再生部シャーシ２のガイド溝２ａを挿通している。ガイド溝２ａの両縁には凹み２ｂ、２ｂが形成されている。マイクロスイッチ作動部材１２の軸１２ａがガイド溝２ａに案内されるのでレバー４および５は同期して回動する。
【００１６】
装置の動作を制御するプリント基板３にはマイクロスイッチ７および８が固定されている。マイクロスイッチ７はこの発明の第１の検出手段を構成し、マイクロスイッチ８はこの発明の第２の検出手段を構成する。再生部シャーシ２とマイクロスイッチ作動部材１２との間に掛けられた引張りコイルばね９はマイクロスイッチ作動部材１２を図１に示す矢印方向（ディスクローディング方向）に付勢する。そしてディスクがないときは、マイクロスイッチ作動部材１２はマイクロスイッチ７を作動させる位置にある。
【００１７】
図３に示すように、８ｃｍＣＤ１３または１２ｃｍＣＤ１４がローディング開始位置まで挿入されると、レバー４および５が夫々時計方向および反時計方向に回動され、図４に詳しく示すように、マイクロスイッチ作動部材１２がディスクイジェクト方向に動きマイクロスイッチ７がオフとなることによりディスクのローディング開始位置が検出される。そして、送りローラが駆動されてディスクをローディング方向に送る。
【００１８】
８ｃｍＣＤを送る場合は図６に示すようにレバー４の最大回動位置においてもマイクロスイッチ８は作動されない。８ｃｍＣＤを片側に片寄せて挿入した場合、図７に示すように、軸１２ａがガイド溝２ａに設けた凹み２ｂに入りこむためレバー４および５が回動されなくなり、８ｃｍＣＤはレバー４および５により中央に案内される。８ｃｍＣＤが中央位置に移動すると、送りローラにより再生位置まで送られる。
【００１９】
１２ｃｍＣＤを送る場合は図８に示すようにレバー４の最大回動位置においてマイクロスイッチ８が作動される。マイクロスイッチ８の作動により、８ｃｍＣＤと１２ＣＤが識別され、夫々のディスクを再生位置に送るために必要なだけ送りローラが駆動される。なお、先に説明したように、レバー４または５が８ｃｍＣＤにより片押しされた場合凹み２ｂの作用により、８ｃｍＣＤがレバー４および５により中央に案内されるので、８ｃｍＣＤがレバーを大きく回動させて１２ｃｍＣＤと誤認識されることはない。
【００２０】
８ｃｍＣＤをイジェクトする場合、レバー４および５が一旦回動され、さらに、元に戻されマイクロスイッチ７がオンとなることによりイジェクストップ位置が検出される。１２ｃｍＣＤをイジェクトする場合、レバー４および５が回動され、マイクロスイッチ８が作動され、さらに、元に戻され図９に示すようにマイクロスイッチ８がオフとなることによりイジェクストップ位置が検出される。
【００２１】
【発明の効果】
この発明によれば、誤動作がなく、製造コストの安いディスク位置検出手段を提供することができる。
【図面の簡単な説明】
【図１】この発明の実施例である車載用ディスクプレーヤを示す平面図である。
【図２】同車載用ディスクプレーヤを示す正面図である。
【図３】同車載用ディスクプレーヤの作用を説明するための平面図である。
【図４】図３の一部拡大図である。
【図５】図４に示す部分の正面図である。
【図６】同車載用ディスクプレーヤの作用を説明するための平面図である。
【図７】図６の一部拡大図である。
【図８】同車載用ディスクプレーヤの作用を説明するための平面図である。
【図９】同車載用ディスクプレーヤの作用を説明するための平面図である。
【図１０】図９の一部拡大図である。
【図１１】従来の例を示す平面図である。
【符号の説明】
１  本体シャーシ
２  再生部シャーシ、２ａ  ガイド溝、２ｂ  凹み
３  プリント基板
４、５  レバー
６  連結部材
７  マイクロスイッチ
８  マイクロスイッチ
９  引張りコイルばね
１０  送りローラ
１１  ダンパー
１２  マイクロスイッチ作動部材、１２ａ  軸、１２ｂ  軸
１３  ８ｃｍＣＤ
１４  １２ｃｍＣＤ
Ａ  透過式光センサ
Ｂ、Ｃ、Ｄ  反射式光センサ
【図１】
0003673980.tif 000002
【図２】
0003673980.tif 000003
【図３】
0003673980.tif 000004
【図４】
0003673980.tif 000005
【図５】
0003673980.tif 000006
【図６】
0003673980.tif 000007
【図７】
0003673980.tif 000008
【図８】
0003673980.tif 000009
【図９】
0003673980.tif 000010
【図１０】
0003673980.tif 000011
【図１１】
0003673980.tif 000012